(57)【要約】【課題】回転選別筒型の混合米選別部を具備する籾摺選別機をコンパクトに構成する。【解決手段】機体の左右一側に籾摺部１を配置し、この籾摺部１の左右中央寄りに上下方向に沿った摺落米選別風路１６を有する摺落米風選部２を配置し、この摺落米風選部２の左右他側に回転選別筒型の混合米選別部３を配置し、混合米選別部３の回転選別筒２７を前後方向に沿うように配置する。  しかして、摺落米風選部２の摺落米選別風路１６を上下方向に沿わせて縦長に構成し、混合米選別部３の回転選別筒２７を前後方向に沿うように配置したので、機体の左右長さを短くし機体全体をコンパクトに構成することができる。【選択図】図１
2006150166.tif 000002
【特許請求の範囲】
【請求項１】
機体の左右一側に籾摺部１を配置し、該籾摺部１の左右中央寄りに上下方向に沿った摺落米選別風路１６を有する摺落米風選部２を配置し、該摺落米風選部２の左右他側に回転選別筒型の混合米選別部３を配置し、該混合米選別部３の回転選別筒２７の回転軸心を前後方向に沿うように配置したことを特徴とする籾摺選別機。
【請求項２】
摺落米風選部２の選別摺落米を混合米揚穀機４により揚穀して混合米選別部３の回転選別筒２７に供給可能に構成し、前記混合米揚穀機４の揚穀摺落米から塵埃類を吸引除去する吸塵風路７６の終端側を前記摺落米風選部２の吸引ファン１９の吸引部に連通したことを特徴とする請求項１記載の籾摺選別機。
【請求項３】
籾摺部をインペラ羽根型の籾摺部１に構成し、該籾摺部１のインペラ羽根８ｂ，８ｂ，…駆動用のインペラ軸４８を左右方向に沿うように構成したことを特徴とする請求項１記載の籾摺選別機。
【発明の詳細な説明】
【技術分野】
【０００１】
本発明は、回転選別筒型の混合米選別部を有する籾摺選別機に関するものである。
【背景技術】
【０００２】
インペラ羽根型籾摺部を具備する籾摺選別機において、インペラ羽根型籾摺部を機体の左側部に配置し、左右方向に沿った摺落米選別風路を有する摺落米風選部を機体の左右中間部に配置し、回転選別筒型の混合米選別部を機体の右側部に配置し、回転選別筒を左右方向に沿わせて配置したものは公知である（特許文献１）。
【特許文献１】特開２００２−１７２３３７号公報
【発明の開示】
【発明が解決しようとする課題】
【０００３】
前述のような籾摺選別機では、機体の左右方向が長くなり、機体全体をコンパクトに構成できないという不具合があった。そこで、この発明はこのような不具合を解消し、回転選別筒型の混合米選別部を具備する籾摺選別機をコンパクトに構成しようとするものである。
【課題を解決するための手段】
【０００４】
請求項１の発明は、機体の左右一側に籾摺部１を配置し、該籾摺部１の左右中央寄りに上下方向に沿った摺落米選別風路１６を有する摺落米風選部２を配置し、該摺落米風選部２の左右他側に回転選別筒型の混合米選別部３を配置し、該混合米選別部３の回転選別筒２７の回転軸心を前後方向に沿うように配置したことを特徴とする籾摺選別機とする。
【０００５】
前記構成によると、機体の左右一側に配置された籾摺部１の左右中央寄りには上下方向に沿った摺落米選別風路１６を有する摺落米風選部２が配置され、機体の左右他側には回転選別筒２７の回転軸心を前後方向に沿わせた回転選別筒型の混合米選別部３が配置されて、機体の左右長さを短くできる。
【０００６】
請求項２の発明は、摺落米風選部２の選別摺落米を混合米揚穀機４により揚穀して混合米選別部３の回転選別筒２７に供給可能に構成し、前記混合米揚穀機４の揚穀摺落米から塵埃類を吸引除去する吸塵風路７６の終端側を前記摺落米風選部２の吸引ファン１９の吸引部に連通したことを特徴とする請求項１記載の籾摺選別機とする。
【０００７】
前記構成によると、請求項１発明の前記作用に加えて、摺落米風選部２の選別摺落米は混合米揚穀機４により揚穀されて混合米選別部３の回転選別筒２７に供給されると共に、混合米揚穀機４から回転選別筒２７に供給される途中の揚穀摺落米から吸塵風路７６により塵埃類が吸引除去され、吸引ファン１９を経て機外に排出される。
【０００８】
請求項３の発明は、籾摺部をインペラ羽根型の籾摺部１に構成し、該籾摺部１のインペラ羽根８ｂ，８ｂ，…駆動用のインペラ軸４８を左右方向に沿うように構成したことを特徴とする請求項１記載の籾摺選別機とする。
【０００９】
前記構成によると、請求項１発明の前記作用に加えて、籾摺部１のインペラ羽根８ｂ，８ｂ，…は左右方向に沿うように構成したインペラ軸４８により駆動されて籾摺される。
【発明の効果】
【００１０】
請求項１の発明は、摺落米風選部２の摺落米選別風路１６を上下方向に沿わせて縦長に構成すると共に、摺落米風選部２の左右側方には回転選別筒２７を前後方向に沿うように構成した混合米選別部３を配置したので、機体の左右長さを短くし機体全体をコンパクトに構成することができる。
【００１１】
請求項２の発明は、請求項１の発明の前記効果に加えて、混合米選別部３の回転選別筒２７に供給する摺落米から塵埃類が除去されてきれいな摺落米を回転選別筒２７に供給することができるので、回転選別筒２７の壷穴に塵埃類が溜まりにくく選別能率を高めることができ、また、機体の左右長さを短く構成しているので、揚穀摺落米からの塵埃類の吸塵風路７６を短く構成することができる。
【００１２】
請求項３の発明は、請求項１の発明の前記効果に加えて、インペラ羽根８ｂ，８ｂ，…駆動用のインペラ軸４８を左右方向に沿うように構成したので、インペラ羽根８ｂ，８ｂ，…を内装した籾摺ケース８ａの左右長さを短くし、インペラ羽根型籾摺部１の左右幅をコンパクトに構成することができる。
【発明を実施するための最良の形態】
【００１３】
以下図面に基づき本発明の一実施形態について説明する。
まず、図１〜図３に基づきこの発明を具備する籾摺選別機の全体構成について説明する。図１は籾摺選別機の全体の正面図、図２はその側面図、図３はその平面図である。
【００１４】
籾摺選別機は、機体の左側部に籾摺部１を配置し、籾摺部１の右側に摺落米風選部２を配置し、摺落米風選部２の右側に混合米選別部３を配置し、籾摺部１及び摺落米風選部２の前側面に混合米選別部３の前側面を揃えた状態に配置し、混合米選別部３の回転選別筒２７の回転軸心を前後方向に沿うように配置している。そして、摺落米風選部２の例えば後側に配置した混合米揚穀機４により、摺落米風選部２の風選後の摺落米を混合米選別部３に揚穀し、混合米選別部３の例えば前側に配置した玄米揚穀機６により選別玄米を機外に取り出すように構成している。
【００１５】
籾摺部１はインペラ羽根型に構成されていて、籾ホッパ７と、インペラ羽根式籾摺装置８と、籾摺ボックス１０と、籾摺ボックス１０に斜設した摺落米流下板９等で構成されている。インペラ羽根式籾摺装置８は、籾摺ケース８ａと、籾摺ケース８ａ内に左右方向の軸回りに回転自在に支架されているインペラ羽根８ｂ，８ｂ，…と、該インペラ羽根８ｂ，８ｂ，…の内周部に籾を供給する籾供給筒８ｃと、摺落米移送筒８ｄ等により構成されている。
【００１６】
しかして、籾ホッパ７に供給された籾は籾供給筒８ｃを経てインペラ羽根８ｂ，８ｂ，…の中心部に供給され、籾は回転するインペラ羽根８ｂ，８ｂ，…に沿って外周側に撥ね飛ばされ、外周屈曲部での急激な方向変換がなされて籾摺ケース８ａのライニングに衝突しその大半が籾摺される。摺落米は摺落米移送筒８ｄ内を上昇旋回しながら籾摺ボックス１０の上部に移送されて摺落米流下板９に引き継がれ、次いで、摺落米流下板９を流下して摺落米風選部２の摺落米供給口１１から摺落米風選部２に供給される。
【００１７】
また、籾摺部１を図４に示すように籾摺ロール型の籾摺部１に構成してもよい。即ち、籾摺ロール型の籾摺部１は、籾ホッパ７と、籾摺ロール１２，１２の内装されている籾摺室１３と、籾摺室１３を載置する籾摺ボックス１０と、籾摺ボックス１０の上部に設けられている振動型の摺落米移送棚１４等により構成されている。
【００１８】
しかして、籾ホッパ７の籾が流下供給されると、籾摺ロール１２，１２で籾摺され、摺落米は摺落米移送棚１４に落下供給されて摺落米移送棚１４で振動移送されて、摺落米風選部２の摺落米供給口１１から摺落米風選部２に供給される。
【００１９】
また、籾摺ロール型の籾摺部１における摺落米移送棚１４の排出側端部と、インペラ羽根型の籾摺部１における摺落米流下板９の下側端部とを同じ高さで略同じ幅に構成し、摺落米風選部２の左側に籾摺ロール型の籾摺部１あるいはインペラ羽根型の籾摺部１のいずれかを選択して組立て、摺落米を摺落米供給口１１から摺落米風選部２に供給するように構成している。しかして、摺落米風選部２及び回転選別筒型の混合米選別部３を共用しながら、容易にインペラ羽根型の籾摺部１あるいは籾摺ロール型の籾摺部１を選択採用できるように構成している。
【００２０】
次に、摺落米風選部２について説明する。
摺落米風選箱体１５内には、摺落米選別風路１６の選別始端側を下方に配置し、選別終端側を上方に配置して選別風路を上下方向に沿うように構成し、その摺落米選別風路１６の中途部を後側の混合米選別部３側に屈曲する屈曲部に構成している。そして、摺落米選別風路１６の下端部下方に摺落米受樋１７を設け、摺落米選別風路１６の屈曲部下方に粃受樋１８を配置し、摺落米選別風路１６の終端部に吸引ファン１９を配設し、吸引ファン１９の排出側に排塵筒２１を接続している。
【００２１】
次に、回転選別筒型の混合米選別部３について説明する。
摺落米風選箱体１５の後側下部から後側に向けて箱体後部１５ａを延出し、箱体後部１５ａ上に混合米選別ボックス２６を載置し、混合米選別ボックス２６の上方には横軸回りに回転する回転選別筒２７を配置している。この回転選別筒２７は図１に示す正面視で反時計方向に回転するように構成し、回転選別筒２７の内周面には無数の壺穴が構成されていて選別ケース２８により被覆されている。
【００２２】
選別ケース２８の下端部に左右一対の円筒駆動軸２９，２９を前後方向に沿わせて軸架し、左右の円筒駆動軸２９，２９の前後両端部に駆動ローラー３１，３１，…を取り付け、駆動ローラー３１，３１，…上に回転選別筒２７の円筒フランジを載置し、回転選別筒２７を回転するように構成している。また、選別ケース２８における回転選別筒２７の前側端部に対向する部分を着脱可能な透明カバー２８ａに構成して、回転選別筒２７の内部が点検できるようにしている。
【００２３】
回転選別筒２７内には、玄米を受ける上方開放型の玄米受樋３２を架設し、玄米受樋３２の上端部に玄米調節板３３を軸支し、玄米調節板３３を内外方向に回動調節して玄米受樋３２の受け面積を広狭に調節できるように構成し、玄米受樋３２の底部には穀粒を前側に移送する玄米ラセン３２ａを軸架している。
【００２４】
また、玄米受樋３２の穀粒汲上側に平行して上方開放型の混合米受樋３４を配置し、混合米受樋３４の底部には穀粒を後側に移送する混合米ラセン３４ａを軸架している。また、混合米揚穀機４に揚穀された穀粒を混合米供給筒３６を経由して回転選別筒２７の選別始端側である後側端部に供給するように構成している。
【００２５】
玄米受樋３２の終端部である前側端部を案内シュート３２ｂを介して玄米取出通路３７の上方に臨ませ、玄米取出通路３７の下部を玄米揚穀機６の下部に連通し、玄米揚穀機６により選別玄米を機外に取り出すように構成している。また、回転選別筒２７の選別終端側である前部下方に籾流下通路３８を設け、回転選別筒２７の選別終端側に流動した選別済みの籾比率の高い穀粒を籾流下通路３８に排出し、次いで、籾流下通路３８、籾揚穀機３９を経由して籾摺部１に揚穀還元し再度の籾摺をするように構成している。
【００２６】
しかして、混合米揚穀機４に揚穀された混合米が混合米供給筒３６を経由して回転選別筒２７の後側端部に供給されると、混合米は回転選別筒２７の壷穴により汲み上げられ選別される。即ち、細くて短い玄米は高く汲み上げられて玄米受樋３２に落下選別される。玄米受樋３２に落下した選別玄米は玄米ラセン３２ａにより前側に移送され、玄米受樋３２の前側端部から玄米取出通路３７、玄米揚穀機６を経て機外に取り出される。
【００２７】
また、太くて長い籾及び一部の玄米は低く汲み上げられて混合米受樋３４に落下し選別される。混合米受樋３４に選別された選別穀粒は混合米ラセン３４ａにより後側に移送されて後側端部から回転選別筒２７の後側端部に供給され、再度選別される。また、回転選別筒２７内を前側端部まで流動した籾比率の高い穀粒は籾流下通路３８に流下し、更に籾揚穀機３９を経て籾摺部１に揚穀還元されて再度の籾摺がなされる。
【００２８】
前記のように、機体の左側に籾摺部１を配置し、籾摺部１の右側には摺落米選別風路１６が上下方向に沿うように構成されている摺落米風選部２を配置し、摺落米風選部２の右側には混合米選別部３を配置し、籾摺部１及び摺落米風選部２の前側面と混合米選別部３の前側面を揃えるように構成し、混合米選別部３の回転選別筒２７を前後方向に沿うように配置している。
【００２９】
従って、摺落米風選部２の摺落米選別風路１６を上下方向に沿わせて縦長に構成したので左右長さが短くなり、また、混合米選別部３の回転選別筒２７を前後方向に沿うように配置したので左右長さが短くなり、機体の左右長さを短くし機体全体をコンパクトに構成することができる。
【００３０】
また、回転選別筒２７を前後方向に沿わせて配置し、摺落米風選部２からの混合米を回転選別筒２７の後側から供給して穀粒を前側に流動しながら選別し、選別後の穀粒を回転選別筒２７の前側から取り出して籾摺部１に還元すると共に、玄米受樋３２に選別された玄米を回転選別筒２７の前側から取り出すように構成したので、回転選別筒２７の穀粒の流れが円滑になり、また、玄米揚穀機６を右側前部に配置できて、機体前側部で運転操作をしながら玄米揚穀機６の取出玄米を容易に点検することができる。
【００３１】
また、図２における混合米供給筒３６近傍の構成を図５に示すように構成し、混合米揚穀機４の揚穀穀粒から塵埃類を吸引除去して回転選別筒２７に供給するように構成してもよい。即ち、混合米揚穀機４の揚穀取出部４ａからの穀粒を混合米供給筒３６を経由した回転選別筒２７に供給するにあたり、混合米供給筒３６の上側端部に吸塵風路７６の始端側を接続し、混合米供給筒３６の中途部に網体を張設した吸気口３６ａを構成し、吸塵風路７６の終端側を吸引ファン１９の吸引部に接続する。
【００３２】
この実施例では、揚穀取出部４ａの下端部及び混合米供給筒３６の上端部には、網体７６ｂ，７６の張設している上部吸塵風路７６ａを取り付け、上部吸塵風路７６ａに吸塵風路風路７６を接続し、塵埃類を吸塵するように構成している。なお、７５は玄米吸塵風路で、その始端側は玄米揚穀機６に接続され、その終端側は吸引ファン１９の吸引部に接続されていて、玄米揚穀機６から塵埃類を吸引除去するものである。
【００３３】
しかして、回転選別筒２７に供給する混合米から塵埃類を吸引除去しきれいな混合米を回転選別筒２７に供給することができ、回転選別筒２７の壷穴に塵埃類が溜まりにくく選別能率を高めることができる。
【００３４】
また、図６に示すように、混合米供給筒３６を経由した回転選別筒２７に混合米を供給するにあたり、混合米供給筒３６の中途部に吸塵風路７６の始端側を接続し、吸塵風路７６の終端側を吸引ファン１９の吸引部に接続するように構成してもよい。
【００３５】
また、図７に示すように、摺落米風選部２の摺落米をスロワ型の混合米揚穀機４により回転選別筒２７に供給するように構成してもよい。即ち、摺落米受樋１７の終端側である後側端部にスロワ７８のスロワケース７８ａを臨ませ、スロワ筒７８ｂを回転選別筒２７の左側面に沿わせながら回転選別筒２７の後部まで延設し、回転選別筒２７の選別始端側である後側端部にスロワ筒７８ｂの端部を接続する。しかして、機体をコンパクトに構成することができる。
【００３６】
なお、回転選別筒型の混合米選別部３に代えて揺動選別板型の混合米選別部３を採用してもよい。
次に、図８に基づきインペラ羽根型籾摺部１を具備する籾摺選別機の伝動構成について説明する。
【００３７】
籾摺ボックス１０の下部には主モータ４１を配置し、主モータ４１から後側に向けてモータ軸４２を突出軸架している。籾摺ボックス１０にはインペラ入力軸４３及び主軸４４を前後方向に沿わせて軸架し、主モータ４１のモータ軸４２からプーリ、伝動ベルトからなる第１ベルト伝動装置４６を介してインペラ入力軸４３及び主軸４４に動力を伝達し、インペラ入力軸４３からベベルギヤ４７を介してインペラ羽根８ｂ，８ｂ，…駆動用のインペラ軸４８に動力を伝達している。
【００３８】
また、籾摺ボックス１０には移送揺動軸５１を軸架し、摺落米風選箱体１５には混合米揚穀機用入力軸５２及び二番ラセン軸５３を前後方向に沿わせて軸架している。主軸４４の前側他端に取り付けたプーリ４４ａから伝動ベルト及びプーリからなる風選部ベルト伝動装置５４を介して、移送揺動軸５１、混合米揚穀機用入力軸５２及び二番ラセン軸５３に動力を伝達している。
【００３９】
混合米揚穀機４駆動用の混合米揚穀機駆動軸５６、及び、摺落米ラセン１７ａ駆動用の摺落米ラセン軸５７を前後方向に沿わせて設け、混合米揚穀機用入力軸５２の前側端部に取り付けたプーリ５２ａから混合米揚穀機ベルト伝動装置５８を介して、混合米揚穀機駆動軸５６及び摺落米ラセン軸５７に動力を伝達している。
【００４０】
また、二番ラセン軸５３の後側端部にはプーリ５９を取り付け、プーリ５９から吸引ファンベルト伝動装置６１を介して吸引ファン軸６２に動力を伝達している。また、玄米揚穀機６駆動用の玄米揚穀機駆動軸６６を後側に向けて突出し、二番ラセン軸５３の前側端部に取り付けたプーリ６３から玄米揚穀機ベルト伝動装置６４を介して玄米揚穀機駆動軸６６に動力を伝達し、玄米揚穀機６を駆動している。
【００４１】
前記選別ケース２８の下部には前後方向に沿わせて減速中継軸６８、左右の円筒駆動軸２９，２９、前記玄米ラセン３２ａ駆動用の玄米ラセン駆動軸６９、及び、前記混合米ラセン３４ａ駆動用の混合米ラセン駆動軸７１を夫れ夫れ軸架している。そして、玄米揚穀機駆動軸６６から減速ベルト伝動装置６７を介して減速中継軸６８に減速動力を伝達し、次いで、減速中継軸６８から円筒ベルト伝動装置７２を介して左側の円筒駆動軸２９に動力を伝達し、左側の円筒駆動軸２９から第二円筒ベルト伝動装置７３を介して玄米ラセン３２ａ駆動用の玄米ラセン駆動軸６９、混合米ラセン３４ａ駆動用の混合米ラセン駆動軸７１及び右側の円筒駆動軸２９に動力を伝達している。
【００４２】
しかして、多数の伝動軸を前後方向に沿わせて軸架し、左右方向のベルト伝動装置により多数の伝動軸間を伝動するように構成したので、伝動装置を簡素化することができる。また、インペラ羽根型の籾摺部１から籾摺ロール型の籾摺部１に変更しても、摺落米風選部２及び混合米選別部３の伝動装置を共用化することができる。
【００４３】
なお、籾摺ロール型の籾摺部１の伝動装置は図示省略したが次のように構成されている。主モータ４１のモータ軸４２から第１ベルト伝動装置４６を介して主軸４４に動力を伝達し、一方の籾摺ロール８駆動用のロール軸（図示省略）と主軸４４とを同一軸心状に軸架して、主軸４４からカップリング（図示省略）を介して一方のロール軸（図示省略）に動力を伝達し、一方のロール軸（図示省略）から他方の籾摺ロールのロール軸（図示省略）にギヤ等のロール伝動装置（図示省略）を介して動力を伝達し、また、主軸４４からベルト伝動装置（図示省略）を介して移送揺動軸５１に動力を伝達し、主軸４４から繰出ベルト伝動装置（図示省略）を介して籾ホッパ７の繰出ロール（図示省略）に動力を伝達している。
【００４４】
次に、図９に基づき籾摺ロール型籾摺部１の籾摺ロール１２，１２からの穀粒漏れ防止装置について説明する。
籾摺ボックス８１には高速回転する主籾摺ロール１２ａ及び低速回転する副籾摺ロール１２ｂを互いに反対方向に回転するように軸架し、主籾摺ロール１２ａの外周部側面に漏れ防止板８２，８２を配設している。左右の漏れ防止板８２，８２を、主籾摺ロール１２ａの外周部側面に接触支持される外周円板部８２ａ，８２ａと、主籾摺軸８３に取り付けるために軸方向に屈折している内周取付部８２ｂ，８２ｂとで構成している。そして、主籾摺軸８３の軸端部に内周取付部８２ａ，８２ａ及び主籾摺ロール１２ａを取付ボルト８４により共締めし取り付けている。
【００４５】
しかして、漏れ防止板８２，８２の外周円板部８２ａ，８２ａにより高速回転する主籾摺ロール１２ａの外周部、及び、副籾摺ロール１２ｂの主籾摺ロール１２ａとの接触部側面を覆うので、摺落米の側面への漏れを有効に防止し円滑に籾摺作用をすることができる。
【図面の簡単な説明】
【００４６】
【図１】インペラ羽根型籾摺選別機の切断正面図
【図２】インペラ羽根型籾摺選別機の右側面図
【図３】インペラ羽根型籾摺選別機の平面図
【図４】籾摺ロール型籾摺選別機の切断正面図
【図５】（Ａ）混合米揚穀機及び吸引ファン部の斜視図、（Ｂ）混合米揚穀機及び吸塵風路の分解斜視図
【図６】インペラ羽根型籾摺選別機の異なる例を示す正面図
【図７】インペラ羽根型籾摺選別機の更に異なる例を示す正面図
【図８】伝動装置の展開図
【図９】籾摺ロール部の切断平面図
【符号の説明】
【００４７】
１    籾摺部
２    摺落米風選部
３    回転選別筒型の混合米選別部
４    混合米揚穀機
５    玄米揚穀機
８    インペラ羽根式籾摺装置
８ａ  籾摺ケース
８ｂ  インペラ羽根
８ｃ  籾供給筒
８ｄ  摺落米移送筒
１６    摺落米選別風路
１９    吸引ファン
２７    回転選別筒
３６    混合米供給筒
４８    インペラ軸
７６    吸塵風路
【図１】
2006150166.tif 000003
【図２】
2006150166.tif 000004
【図３】
2006150166.tif 000005
【図４】
2006150166.tif 000006
【図５】
2006150166.tif 000007
【図６】
2006150166.tif 000008
【図７】
2006150166.tif 000009
【図８】
2006150166.tif 000010
【図９】
2006150166.tif 000011